【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
面状の第１の部材および第２の部材の対向面側のそれぞれに透明導電膜が成膜されるアナログ抵抗膜式のタッチパネルであって、
前記第１の部材上においてある一定の方向に配列された複数の透明導電膜領域であって、各前記透明導電膜領域は、前記第２の部材への対向面側にそれぞれ成膜され、隣接する前記透明導電膜領域間は電気的に絶縁される透明導電膜領域と、
各前記透明導電膜領域にそれぞれ設けられる駆動用電極対であって、各前記駆動用電極対間では、それぞれ異なる電圧値を有する電圧を印加し、当該透明導電膜領域内においては、前記透明導電膜領域の配列方向については同一電位となるような電位勾配を形成する駆動用電極対と、
前記第１の部材への対向面側に前記透明導電膜が成膜された前記第２の部材上に設けられる検出用電極対であって、前記検出用電極対を構成する各電極の向かい合う方向が、前記駆動用電極対を構成する各電極が向かい合う方向に直交するよう設けられる検出用電極対と、
前記検出用電極対を介して検出された電圧値に基づいて、前記複数の透明導電膜領域のうちどの透明導電膜領域が前記第２の部材上の前記透明導電膜に接触したかを判別する判別手段と、
を備えることを特徴とするタッチパネル。
【請求項２】
各前記駆動用電極対について、当該駆動用電極対を構成する各電極にそれぞれ接続される第１の抵抗および第２の抵抗であって、各前記駆動用電極対間において、前記第１の抵抗と前記第２の抵抗との合成抵抗については等しい抵抗値を有するとともに、前記第１の抵抗についてはそれぞれ異なる抵抗値を有する第１の抵抗および第２の抵抗と、
各前記駆動用電極対について、当該駆動用電極対を構成する前記第１の抵抗に接続された前記電極に、該第１の抵抗を介して同一電圧値を有する電圧を順次印加する電源と、
を備え、
各前記駆動用電極対間では、それぞれ異なる電圧値を有する電圧が印加される請求項１に記載のタッチパネル。
【請求項３】
前記判別手段は、前記検出用電極対を介して検出された電圧値に基づいて、当該電圧値を有する電圧を印加した駆動用電極対を判別し、当該駆動用電極対が設けられた透明導電膜領域が前記第２の部材上の前記透明導電膜に接触したことを示す信号を出力する請求項２に記載のタッチパネル。
【請求項４】
前記判別手段は、前記電源によって各前記駆動用電極対ごとに電圧が印加される順番およびタイミングに対応して、前記検出用電極対を介して検出された電圧値を順次取得し、前記複数の透明導電膜領域のうちどの透明導電膜領域が前記第２の部材上の前記透明導電膜に接触したかを判別する請求項３に記載のタッチパネル。
【請求項５】
全ての前記駆動用電極対による電圧印加を遮断するスイッチと、
前記全ての駆動用電極対による電圧印加が前記スイッチにより遮断されているときに、前記検出用電極対に電圧を印加するさらなる電源と、
前記全ての駆動用電極対による電圧印加が前記スイッチにより遮断されているときに、各前記駆動用電極対のうちのいずれかを介して検出した電圧値に基づいて、前記第１の部材上の前記透明導電膜領域と前記第２の部材上の前記透明導電膜とがタッチ操作により接触した接触点の、前記検出用電極対を構成する各電極の向かい合う方向上における絶対座標を特定する座標検出手段と、
をさらに備える請求項１〜４のいずれか一項に記載のタッチパネル。
【請求項６】
面状の第１の部材および第２の部材の対向面側のそれぞれに透明導電膜が成膜されるアナログ抵抗膜式のタッチパネルであって、
前記第１の部材上においてある一定の方向に配列された複数の透明導電膜領域であって、各前記透明導電膜領域は、前記第２の部材への対向面側にそれぞれ成膜され、隣接する前記透明導電膜領域間は電気的に絶縁される透明導電膜領域と、
各前記透明導電膜領域にそれぞれ設けられる検出用電極対であって、前記検出用電極対を構成する各電極の向かい合う方向が、前記透明導電膜領域の配列方向に直交するよう設けられる検出用電極対と、
前記第１の部材への対向面側に前記透明導電膜が成膜された前記第２の部材上に設けられる駆動用電極対であって、前記駆動用電極対を構成する各電極の向かい合う方向が、前記透明導電膜領域の配列方向に沿うように設けられ、前記検出用電極対を構成する各電極の向かい合う方向については同一電位となるような電位勾配を電圧印加により形成する駆動用電極対と、
前記検出用電極対を介して検出された電圧値に基づいて、前記複数の透明導電膜領域のうちどの透明導電膜領域が前記第２の部材上の前記透明導電膜に接触したかを判別する判別手段と、
を備えることを特徴とするタッチパネル。
【請求項７】
面状の第１の部材および第２の部材の対向面側のそれぞれに透明導電膜が成膜されるアナログ抵抗膜式のタッチパネルであって、
前記第１の部材上においてある一定の方向に配列された複数の透明導電膜領域であって、各前記透明導電膜領域は、前記第２の部材への対向面側にそれぞれ成膜され、隣接する前記透明導電膜領域間は電気的に絶縁される透明導電膜領域と、
各前記透明導電膜領域にそれぞれ設けられる駆動用電極対であって、各前記駆動用電極対間では、それぞれ異なるパルス特性を有する電圧パルスを印加する駆動用電極対と、
前記第１の部材への対向面側に前記透明導電膜が成膜された前記第２の部材上に設けられる検出用電極対であって、前記検出用電極対を構成する各電極の向かい合う方向が、前記駆動用電極対を構成する各電極が向かい合う方向に直交するよう設けられる検出用電極対と、
前記検出用電極対を介して検出された前記電圧パルスのパルス特性に基づいて、前記複数の透明導電膜領域のうちどの透明導電膜領域が前記第２の部材上の前記透明導電膜に接触したかを判別する判別手段と、
を備えることを特徴とするタッチパネル。
【請求項８】
アナログ抵抗膜式のタッチパネルであって、
複数の透明導電膜領域がＸ方向に配列され、各前記透明導電膜領域にＸ軸用電極対がそれぞれ設けられる第１の部材であって、各前記透明導電膜領域は、タッチ操作面とは反対側の面側に位置しており、隣接する前記透明導電膜領域間は電気的に絶縁されている第１の部材と、
複数の透明導電膜領域が前記Ｘ方向に直交するＹ方向に配列され、各前記透明導電膜領域にＹ軸用電極対がそれぞれ設けられる第２の部材であって、各前記透明導電膜領域は、前記第１の部材への対向面側に位置しており、隣接する前記透明導電膜領域間は電気的に絶縁されている第２の部材と、
前記Ｘ軸用電極対が、各前記Ｘ軸用電極対間ではそれぞれ異なる電圧値を有する電圧を印加するとともに、当該透明導電膜領域内においては前記Ｘ方向については同一電位となるような電位勾配を形成するＸ軸領域検出モードにおいては、前記Ｙ軸用電極対を介して検出された電圧値に基づいて、前記Ｘ軸方向に配列される複数の透明導電膜領域のうちどの透明導電膜領域が前記第２の部材上の前記透明導電膜領域に接触したかを判別し、前記Ｙ軸用電極対が、各前記Ｙ軸用電極対間ではそれぞれ異なる電圧値を有する電圧を印加するとともに、当該透明導電膜領域内においては前記Ｙ方向については同一電位となるような電位勾配を形成するＹ軸領域検出モードにおいては、前記Ｘ軸用電極対を介して検出された電圧値に基づいて、前記Ｙ軸方向に配列される複数の透明導電膜領域のうちどの透明導電膜領域が前記第１の部材上の前記透明導電膜領域に接触したかを判別する判別手段と、
を備えることを特徴とするタッチパネル。
【請求項９】
アナログ抵抗膜式のタッチパネルであって、
複数の透明導電膜領域がＸ方向に配列され、各前記透明導電膜領域にＸ軸用電極対がそれぞれ設けられる第１の部材であって、各前記透明導電膜領域は、タッチ操作面とは反対側の面側に位置しており、隣接する前記透明導電膜領域間は電気的に絶縁されている第１の部材と、
複数の透明導電膜領域が前記Ｘ方向に直交するＹ方向に配列され、各前記透明導電膜領域にＹ軸用電極対がそれぞれ設けられる第２の部材であって、前記透明導電膜領域は、前記第１の部材への対向面側に位置しており、隣接する前記透明導電膜領域間は電気的に絶縁されている第２の部材と、
前記Ｘ軸用電極対が、前記Ｘ方向については同一電位となるような電位勾配を電圧印加により形成するＸ軸領域検出モードにおいては、前記Ｙ軸用電極対を介して検出された電圧値に基づいて、前記Ｘ軸方向に配列される複数の透明導電膜領域のうちどの透明導電膜領域が前記第２の部材上の前記透明導電膜領域に接触したかを判別し、前記Ｙ軸用電極対が、前記Ｙ方向については同一電位となるような電位勾配を電圧印加により形成するＹ軸領域検出モードにおいては、前記Ｘ軸用電極対を介して検出された電圧値に基づいて、前記Ｙ軸方向に配列される複数の透明導電膜領域のうちどの透明導電膜領域が前記第１の部材上の前記透明導電膜領域に接触したかを判別する判別手段と、
を備えることを特徴とするタッチパネル。
【請求項１０】
アナログ抵抗膜式のタッチパネルであって、
複数の透明導電膜領域がＸ軸方向に配列され、各前記透明導電膜領域にＸ軸用電極対がそれぞれ設けられる第１の部材であって、各前記透明導電膜領域は、タッチ操作面とは反対側の面側に位置しており、隣接する前記透明導電膜領域間は電気的に絶縁されている第１の部材と、
複数の透明導電膜領域が前記Ｘ軸方向に直交するＹ軸方向に配列され、各前記透明導電膜領域にＹ軸用電極対がそれぞれ設けられる第２の部材であって、各前記透明導電膜領域は、前記第１の部材への対向面側に位置しており、隣接する前記透明導電膜領域間は電気的に絶縁されている第２の部材と、
前記Ｘ軸用電極対間ではそれぞれ異なるパルス特性を有する電圧パルスを印加するＸ軸領域検出モードにおいては、前記Ｙ軸用電極対を介して検出された前記電圧パルスのパルス特性に基づいて、前記Ｘ軸方向に配列される複数の透明導電膜領域のうちどの透明導電膜領域が前記第２の部材上の前記透明導電膜領域に接触したかを判別し、前記Ｙ軸用電極対間ではそれぞれ異なるパルス特性を有する電圧パルスを印加するＹ軸領域検出モードにおいては、前記Ｘ軸用電極対を介して検出された前記電圧パルスのパルス特性に基づいて、前記Ｙ軸方向に配列される複数の透明導電膜領域のうちどの透明導電膜領域が前記第１の部材上の前記透明導電膜領域に接触したかを判別する判別手段と、
を備えることを特徴とするタッチパネル。
【手続補正２】
【補正対象書類名】明細書
【補正対象項目名】００５４
【補正方法】変更
【補正の内容】
【００５４】
判別手段はＭＣＵ（図示せず）で構成され、検出用電極対２２−１、２２−２もしくは２２−３を介して検出された電圧値に基づいて、複数の透明導電膜領域Ｘ１−１、Ｘ１−２もしくはＸ１−３のうちどの透明導電膜領域が第２の部材１２上の透明導電膜に接触したかを判別する。すなわち、判別手段は、検出用電極対２２−１、２２−２もしくは２２−３を介して検出された電圧値に基づいて、当該電圧値を有する電圧を検出した検出用電極対２２−１、２２−２もしくは２２−３がいずれであるかを判別し、当該検出用電極対が設けられた透明導電膜領域の直上のタッチ操作面がタッチ操作されて第２の部材１２上の透明導電膜に接触したことを示す信号をホストへ出力する。なお、この判別を実行する判別手段は、タッチパネル１に付属して設けられる演算装置であるＭＣＵとして実現する以外に、タッチパネル１が接続されるコンピュータ内に別個独立に実現してもよい。
【手続補正３】
【補正対象書類名】明細書
【補正対象項目名】００６１
【補正方法】変更
【補正の内容】
【００６１】
図９に示すように、透明導電膜が複数の領域に分割され、各透明導電膜領域Ａ−１、Ａ−２およびＡ−３に電極２３−１、２３−２および２３−３がそれぞれに設けられる場合において、電極２３−１のみに電圧を印加すると、透明導電膜領域Ａ−１のみに電位勾配が形成される。透明導電膜領域Ａ−１と、透明導電膜領域Ａ−２およびＡ−３とは電気的に絶縁されているので、電位勾配は形成されない。一方、図１０に示すように、電極２３−１、２３−２および２３−３全てについて電圧を印加すると、透明導電膜領域Ａ−１、Ａ−２およびＡ−３全てに電位勾配が形成される。したがって、本願発明のように透明導電膜が複数の領域に分割されていても、各透明導電膜領域Ａ−１、Ａ−２およびＡ−３に設けられた電極２３−１、２３−２および２３−３に同一電圧を同時に印加すれば、図８の場合のように、電極対２３−１、２３−２および２３−３を形成する電極から離れた場所では、電極対２３−１、２３−２および２３−３を構成する電極の向かい合う方向に直交する方向については同一電位となるので、この部分をタッチパネルの入力エリアとして使用する。
【手続補正４】
【補正対象書類名】明細書
【補正対象項目名】００８５
【補正方法】変更
【補正の内容】
【００８５】
検出用電極対２２は、第１の部材１１のタッチ操作面側のいずれかの位置がタッチ操作されて透明導電膜領域Ｘ１−１、Ｘ１−２もしくはＸ１−３のいずれかが、第２の部材１２の透明導電膜と接触したとき、接触した透明導電膜領域Ｘ１−１、Ｘ１−２もしくはＸ１−３の駆動用電極対２１−１、２１−２もしくは２１−３を介して、当該透明導電膜領域に固有のパルス特性を有する電圧パルスが検出されることになる。
【手続補正５】
【補正対象書類名】明細書
【補正対象項目名】００９２
【補正方法】変更
【補正の内容】
【００９２】
駆動用電極対２１−１、２１−２および２１−３による電圧印加がスイッチＳＷＵ１およびＳＷＤ１、スイッチＳＷＵ２およびＳＷＤ２ならびにスイッチＳＷＵ３およびＳＷＤ３により遮断されているとき（すなわち座標検出モード）において、駆動用電極対２１−１、２１−２および２１−３のいずれかを介して検出した電圧値に基づいて、第１の部材１１上の透明導電膜領域Ｘ−１、Ｘ−２もしくはＸ−３と第２の部材１２上の透明導電膜とがタッチ操作により接触した接触点の、検出用電極対２２を構成する電極の向かい合う方向上における絶対座標を特定することができる。この絶対座標の算出は、従来一般の座標検出手段で実現することができる。
【手続補正６】
【補正対象書類名】明細書
【補正対象項目名】０１１３
【補正方法】変更
【補正の内容】
【０１１３】
ステップＳ１０９においてＸ軸用電極対が駆動され、ステップＳ１１０においてタッチ操作されたＸ軸領域を認識する。そしてステップＳ１１１において、マルチタッチ操作によって指が操作された方向について認識するが、その詳細については図１７〜１９を参照して後述する。
【手続補正７】
【補正対象書類名】明細書
【補正対象項目名】０１２１
【補正方法】変更
【補正の内容】
【０１２１】
【図１】本発明によるアナログ抵抗膜式のタッチパネルに設けられる複数の透明導電膜領域を説明する図（その１）である。
【図２】本発明によるアナログ抵抗膜式のタッチパネルに設けられる複数の透明導電膜領域を説明する図（その２）である。
【図３】本発明によるアナログ抵抗膜式のタッチパネルに設けられる複数の透明導電膜領域を説明する図（その３）である。
【図４】本発明の第１の実施例によるタッチパネルを説明する図である。
【図５】本発明の第１の実施例の変形例によるタッチパネルを説明する図である。
【図６】本発明の第２の実施例によるタッチパネルを説明する図である。
【図７】本発明の第２の実施例によるタッチパネルにおいて、ある一点がタッチ操作された場合の当該一点の絶対位置を特定する原理を説明する図である。
【図８】本発明の第２の実施例によるタッチパネルにおける、各検出用電極対が形成する電位勾配を説明する図（その１）である。
【図９】本発明の第２の実施例によるタッチパネルにおける、各検出用電極対が形成する電位勾配を説明する図（その２）である。
【図１０】本発明の第２の実施例によるタッチパネルにおける、各検出用電極対が形成する電位勾配を説明する図（その３）である。
【図１１】本発明の第２の実施例の変形例によるタッチパネルを説明する図である。
【図１２】本発明の第３の実施例によるタッチパネルを説明する図である。
【図１３】本発明の第３の実施例によるタッチパネルにおいて、ある一点がタッチ操作された場合の当該一点の絶対位置を特定する原理を説明する図である。
【図１４】本発明の第３の実施例の変形例によるタッチパネルを説明する図である。
【図１５】本発明の実施例によるタッチパネルの動作フローを示すフローチャート（その１）である。
【図１６】本発明の実施例によるタッチパネルの動作フローを示すフローチャート（その２）である。
【図１７】図１５および１６におけるマルチタッチ操作による指操作方向の認識の動作フローを示すフローチャートである。
【図１８】図１８および１９は、マルチタッチ操作による指操作方向の認識の具体例を説明する図（その１）である。
【図１９】図１８および１９は、マルチタッチ操作による指操作方向の認識の具体例を説明する図（その２）である。
【図２０】一般的なアナログ抵抗膜式のタッチパネルを例示する斜視図である。
【図２１】一般的なアナログ抵抗膜式のタッチパネルを例示する断面図である。
【図２２】アナログ抵抗膜式のタッチパネルの一般的な座標検出原理を説明する図である。
【図２３】図２２に例示されるアナログ抵抗膜式のタッチパネルを複数の指でタッチ操作したときに生じる問題点を説明する図である。